(57)【要約】【課題】高低２種類の定格入力電圧範囲に応じて過電流保護の動作点を変えて適切な負荷電流の供給と過電流保護動作を可能とする。【解決手段】入力電圧検出回路部５は、ダイオードブリッジ３により整流された直流入力電圧がツェナーダイオードＺＤ１の所定のツェナー電圧以上か未満かを検出して出力する。動作点切替え回路１５は、入力電圧検出回路部５の検出電圧がツェナー電圧未満（低い方の定格入力電圧範囲）のとき、トランジスタＴＲ２がオフしており、過電流検出回路部６の第１過電流検出抵抗Ｒ２に対する第２過電流検出抵抗Ｒ５の並列接続を切り離して第１の過電流保護動作点を設定し、入力電圧検出回路部５の検出電圧がツェナー電圧以上（高い方の定格入力電圧範囲）のとき、トランジスタＴＲ２のオンにより第１過電流検出抵抗Ｒ２に対し第２過電流検出抵抗Ｒ５を並列接続して第１過電流保護動作点より高い第２過電流保護動作点を設定する。【選択図】          図１
2004166440.tif 000002
【特許請求の範囲】
【請求項１】
交流が入力される入力フィルター回路部と、
前記入力フィルター回路部の出力する交流を全波整流する全波整流回路部と、前記全波整流回路部の全波整流電圧に電流位相が一致するように昇圧コンバータをスイッチング制御して力率を改善する昇圧型力率改善回路部と、
前記昇圧型力率改善回路部の出力する直流を入力し、１次側のスイッチ素子のオン、オフ制御により２次側に伝播する電力エネルギーを制御するＤＣ−ＤＣコンバータと、
前記ＤＣ−ＤＣコンバータの２次出力を整流平滑して負荷に電源を供給する整流平滑回路部と、
前記負荷電流に比例した前記ＤＣ−ＤＣコンバータのスイッチ素子のオン、オフ制御で流れる負荷電流に比例した電流をカレントトランスで検出して第１過電流検出抵抗に流すことにより過電流検出電圧を生成する過電流検出回路部と、
前記ＤＣ−ＤＣコンバータのスイッチ素子のオン、オフ制御により前記負荷電流の定格値以内での変化に対し出力電圧を一定に制御すると共に、前記過電流検出回路部で検出した過電流検出電圧を過電流保護端子に入力して所定の基準値以上となったときに前記スイッチ素子のオンデューティを抑制して負荷電流の増加を抑える制御回路部と、
を備え、高低２種類の定格入力電圧範囲に応じて定格負荷電流値が異なるスイッチング電源装置に於いて、
前記全波整流回路部で整流された直流入力電圧が低い方の定格電圧範囲に属するか高い方の定格入力範囲に属するかを検出して出力する入力電圧検出回路部と、
前記入力電圧検出回路部の検出電圧が低い方の定格入力電圧範囲に属するとき、前記過電流検出回路部の第１過電流検出抵抗に対する第２過電流検出抵抗の並列接続を切り離して第１の過電流保護動作点を設定し、前記入力電圧検出回路部の検出電圧が高い方の定格入力電圧範囲に属するとき、前記過電流検出回路部の第１過電流検出抵抗に対し前記第２過電流検出抵抗を並列接続して前記第１過電流保護動作点より高い第２過電流保護動作点を設定する動作点切替え回路と、
を設けたことを特徴とするスイッチング電源装置。
【請求項２】
請求項１記載のスイッチング電源装置に於いて、
前記入力電圧検出回路部は、入力電圧を整流入力して充電するコンデンサと、前記コンデンサの充電電圧が前記高低の定格入力電圧の境界に対応した所定電圧未満でオフし所定電圧以上でオンするツェナーダイオードとを備え、
前記動作点切替え回路は、前記ツェナーダイオードのオフ時にオフして前記第１過電流検出抵抗から第２過電流検出抵抗の並列接続を切り離し、前記ツェナーダイオードのオン時にオンして前記第１過電流検出抵抗に第２過電流検出抵抗を並列接続させるトランジスタを備えたことを特徴とするスイッチング電源装置。
【発明の詳細な説明】
【０００１】
【発明の属する技術分野】
本発明は、高低２種類の定格入力電圧範囲に応じて定格負荷電流値が異なるスイッチング電源装置に関し、特に、負荷電流が定格値を超えて流れる過電流を検出して保護動作を行うスイッチング電源装置に関する。
【０００２】
【従来の技術】
従来、この種の高低２種類の定格入力電圧範囲に応じて定格負荷電流値が異なるスイッチング電源装置において、負荷電流が定格値を超えて流れる過電流を検出して保護動作を行う回路としては例えば図２に示すものがある。
【０００３】
図２において、スイッチング電源装置は、入力端子１０１ａ，１０１ｂから交流が入力される入力フィルター回路部１０１、入力フィルター回路部１０１の出力する交流を全波整流するダイオードブリッジ１０３、電圧位相に電流位相が一致するように昇圧コンバータをスイッチング制御して力率を改善する昇圧型力率改善回路部１０４、１次側のスイッチ素子ＴＲ１０１のオン、オフ制御により２次側に伝播する電力エネルギーを制御するＤＣ−ＤＣコンバータ１０８、及びＤＣ−ＤＣコンバータ１０８の２次出力を整流平滑して出力端子１１２ａ，１１２ｂから負荷１１３に電源を供給する整流平滑回路部１１０を備える。
【０００４】
ＤＣ−ＤＣコンバータ１０８の制御は制御ＩＣ１０７により行われる。制御ＩＣ１０７は、出力電圧を基準電圧と比較して得られた差電圧を誤差増幅・アイソレート部１１１から制御端子Ｃに入力し、出力端子ＯＵＴからのスイッチング信号によりＤＣ−ＤＣコンバータ１０８のスイッチ素子ＴＲ１０１をオン、オフ制御し、負荷電流の定格値以内での変化に対し出力電圧を一定に制御する。
【０００５】
更に、制御ＩＣ１０７には過電流保護端子ＯＣＰが設けられており、過電流検出回路部１０６で検出した過電流検出電圧を過電流保護端子ＯＣＰに入力して所定の基準値以上となったときに、スイッチ素子ＴＲ１０１のオンデューティを抑制して負荷電流の増加を抑える過電流保護動作を行う。
【０００６】
この過電流保護動作のため過電流検出回路部１０６が設けられる。過電流検出回路部１０６は、カレントトランス１１４、抵抗Ｒ１０１〜Ｒ１０４，ダイオードＤ１０１で構成される。即ち、負荷電流に比例したＤＣ−ＤＣコンバータ１０８のスイッチ素子ＴＲ１０１のオン、オフ制御で流れる負荷電流に比例した電流を１次巻線１１４ａと２次巻線１１４ｂで構成されるカレントトランス１１４で検出し、２次巻線１１４ｂから過電流検出抵抗Ｒ１０２に流すことにより電流検出電圧Ｖｉを生成し、これを抵抗Ｒ１０３，Ｒ１０４で分圧して制御ＩＣ１０７の過電流保護端子ＯＣＰに入力している。
【０００７】
制御ＩＣ１０７の過電流保謹端子ＯＣＰに印カロされる電流電流電圧Ｖｉの分圧電圧が、内部的に設定している所定の基準電圧Ｖｒｅｆを越えると、その時点で制御ＩＣ１０７は、スイッチ素子ＴＲ１０１のオンデューティを抑制して負荷電流の増加を抑える過電流保護動作を行い、速やかに負荷電流を制限するよう動作する。
【０００８】
このため過電流保護動作をさせたい負荷電流値をＩＯＣＰとすれば、負荷電流値がＩＯＣＰとなった時に制御ＩＣ１０７の過電流保護端子ＯＣＰに印加される電圧が基準電圧Ｖｒｅｆとなるように、抵抗Ｒ１０２，Ｒ１０３．Ｒ１０４の値を調整することにより、負荷電流値がＩＯＣＰになった時点で過電流保護動作が行われる。
【０００９】
【発明が解決しようとする課題】
しかしながら、このような従来のスイッチング電源装置においては、高低２種類の定格入力電圧範囲での選択的な使用が可能であるが、回路条件が厳しい低い方の定格入力電圧範囲での定格負荷電流値に対応した過電流保護動作点しか設定していないため、高い方の定格入力電圧範囲で使用する場合、過電流動作点が低すぎて定格負荷電流まで負荷に電流を流すことができず、厳しい方の回路条件で選定している部品の能力を十分に生かしきれていない問題があった。
【００１０】
具体的に説明すると、スイッチング電源装置は、低い方の定格入力電圧範囲ＡＣ８５〜１７０Ｖのとき定格負荷電流が例えば１０Ａであり、高い方の定格入力電圧ＡＣ１７０〜２６４Ｖのとき定格負荷電流が例えば１５Ａであり、ＡＣ電源の定格電圧に応じ高低いずれの定格入力電圧範囲でも使用できる。
【００１１】
ここでスイッチング電源装置の入力電力を一定とすると、入力電圧が低い方がＤＣ−ＤＣコンバータ１０８の前段の昇圧型力率改善回路１０４に流れる入力電流が増加し、部品条件が厳しくなる。そこで、低い方の定格入力電圧範囲ＡＣ８５〜１７０Ｖにおける定格負荷電流１０Ａの１１０％となる負荷電流１１Ａを過電流保護動作点に設定し、この過電流保護動作点での入力電流に耐えられるように昇圧型力率改善回路部１０４に使用する部品を選定している。
【００１２】
しかし、高い方の定格入力電圧範囲ＡＣ１７０〜２６４Ｖでの定格負荷電流１５Ａで使用する場合、入力電圧が高くなることで昇圧型力率改善回路部１０４に流れる入力電流が減少し、過電流動作点は入力電圧が低い場合と同じ１１Ａであり、負荷に過電流動作点を越える定格負荷電流までの１１〜１５Ａの電流を流すことできない。
【００１３】
このため高い方の定格入力電圧範囲ＡＣ１７０〜２６４Ｖでスイッチング電源装置を使用する場合、負荷電流を定格負荷電流まで流せない問題があり、同時に昇圧型力率改善回路部１０４に使用している部品の性能を十分に使い切っておらず、性能的に余剰な部品を選定していることになる。
【００１４】
本発明は、このような従来の問題点を解決するため、高低２種類の定格入力電圧範囲に応じて過電流保護の動作点を変えて適切な負荷電流の供給と過電流保護動作を可能とするスイッチング電源装置を提供することを目的とする。
【００１５】
【課題を解決するための手段】
この目的を達成するため本発明は次のように構成する。
【００１６】
本発明は、交流が入力される入力フィルター回路部と、入力フィルター回路部の出力する交流を全波整流する全波整流回路部と、全波整流回路部の全波整流電圧に電流位相が一致するように昇圧コンバータをスイッチング制御して力率を改善する昇圧型力率改善回路部と、１次側のスイッチ素子のオン、オフ制御により２次側に伝播する電力エネルギーを制御するＤＣ−ＤＣコンバータと、ＤＣ−ＤＣコンバータの２次出力を整流平滑して負荷に電源を供給する整流平滑回路部と、負荷電流に比例したＤＣ−ＤＣコンバータのスイッチ素子のオン、オフ制御で流れる負荷電流に比例した電流をカレントトランスで検出して第１過電流検出抵抗に流すことにより過電流検出電圧を生成する過電流検出回路部と、ＤＣ−ＤＣコンバータのスイッチ素子のオン、オフ制御により負荷電流の定格値以内での変化に対し出力電圧を一定に制御すると共に、過電流検出回路部で検出した過電流検出電圧を過電流保護端子に入力して所定の基準値以上となったときにスイッチ素子のオンデューティを抑制して負荷電流の増加を抑える制御回路部とを備え、高低２種類の定格入力電圧範囲に応じて定格負荷電流値が異なるスイッチング電源装置を対象とする。
【００１７】
このようなスイッチング電源装置につき本発明にあっては、全波整流回路で整流された直流入力電圧が低い方の定格電圧範囲に属するか高い方の定格入力範囲に属するかを検出して出力する入力電圧検出回路部と、入力電圧検出回路部の検出電圧が低い方の定格入力電圧範囲に属するとき、過電流検出回路部の第１過電流検出抵抗に対する第２過電流検出抵抗の並列接続を切り離して第１の過電流保護動作点を設定し、入力電圧検出回路部の検出電圧が高い方の定格入力電圧範囲に属するとき、過電流検出回路部の第１過電流検出抵抗に対し第２過電流検出抵抗を並列接続して前記第１過電流保護動作点より高い第２過電流保護動作点を設定する動作点切替え回路とを設けたことを特徴とする。
【００１８】
このため本発明によれば、定格負荷電流が高低２種類の定格入力電圧範囲により変化する仕様をもつスイッチング電源装置について、高低２種類の定格入力電圧範囲に応じた定格負荷電流を所定比率増加した過電流保護動作点、例えば定格負荷電流の１１０％となる過電流保護動作点を入力電圧に応じて自動的に切替え設定し、それぞれ定格負荷電流まで十分に負荷に電流を流すと共に、使用する定格入力電圧範囲が低くても高くても、入力段の力率改善回路部に使用している部品の性能を十分に使いきることができる。
【００１９】
ここで入力電圧検出回路部は、入力電圧を整流入力して充電するコンデンサと、コンデンサの充電電圧が高低の定格入力電圧範囲の境界に対応した所定電圧未満でオフし所定電圧以上でオンするツェナーダイオードとを備え、動作点切替え回路は、ツェナーダイオードのオフ時にオフして第１過電流検出抵抗から第２過電流検出抵抗の並列接続を切り離し、前記ツェナーダイオードのオン時にオンして第１過電流検出抵抗に第２過電流検出抵抗を並列接続させるトランジスタを備える。
【００２０】
【発明の実施の形態】
図１は本発明によるスイッチング電源装置の実施形態を示した回路図であり、高低２種類の定格入力電圧範囲に応じて定格負荷電流値が異なる。
【００２１】
まず構成を説明すると、交流が入力されるに入力端子１ａ，１ｂに続いて入力フィルター回路部２が設けられ、ダイオードブリッジ３により全波整流した後、昇圧型力率改善回路部４とコンデンサＣ１により直流に変換される。
【００２２】
続いてＤＣ−ＤＣコンバータ８が設けられ、この実施形態では、フォワードコンバータを例にとっており、１次巻線９ａと２次巻線９ｂを備えたトランス９、ＭＯＳＦＥＴを用いたスイッチ素子ＴＲ１、整流平滑回路部１０、制御ＩＣ７、誤差増幅・アイソレート部１１、過電流検出回路部６及び入力電圧検出回路部５で構成されている。
【００２３】
制御ＩＣ７は、出力電圧を基準電圧と比較して得られた差電圧を誤差増幅・アイソレート部１１から制御端子Ｃに入力し、出力端子ＯＵＴからのスイッチング信号によりＤＣ−ＤＣコンバータ８のスイッチ素子ＴＲ１のオン、オフ制御し、負荷電流の定格値以内での変化に対し出力電圧を一定に制御する。
【００２４】
整流平滑回路部１０は、ダイオードＤ１０，Ｄ１１、チョークＬ１０、コンデンサＣ１０を備え、出力端子１２ａ、１２ｂから負荷１３に一定の直流電圧を供給する。
【００２５】
また制御ＩＣ７には過電流保護端子ＯＣＰが設けられており、過電流検出回路部６で検出した過電流検出電圧を過電流保護端子ＯＣＰに入力して所定の基準値以上となったときに、スイッチ素子ＴＲ１のオンデューティを抑制して負荷電流の増加を抑える過電流保護動作を行う。尚、制御ＩＣ７は補助電源Ｖｃｃから電源供給を受けて動作する。
【００２６】
この制御ＩＣ７における過電流保護動作のため過電流検出回路部６が設けられる。過電流検出回路部６は、カレントトランス１４、抵抗Ｒ１，Ｒ２，Ｒ３，Ｒ４，ダイオードＤ２で構成される。即ち、負荷電流に比例したＤＣ−ＤＣコンバータ８のスイッチ素子ＴＲ１のオン、オフ制御で流れる負荷電流に比例した電流を１次巻線１４ａと２次巻線１４ｂで構成されるカレントトランス１４で検出し、２次巻線１４ｂから第１過電流検出抵抗Ｒ２に流すことにより電流検出電圧Ｖｉを生成し、これを抵抗Ｒ３，Ｒ４で分圧して制御ＩＣ７の過電流保護端子ＯＣＰに入力している。
【００２７】
制御ＩＣ７の過電流保護端子ＯＣＰに入力される電流検出電圧Ｖｉの分圧電圧が、制御ＩＣ７の過電流保護端子ＯＣＰに対応して内部的に設定している所定の基準電圧Ｖｒｅｆを越えると、その時点で制御ＩＣ７は、スイッチ素子ＴＲ１のオンデューティを抑制して負荷電流の増加を抑える過電流保護動作を行い、速やかに負荷電流を制限するよう動作する。
【００２８】
入力電圧検出回路部５は、ダイオードブリッジ３の後に接続され、ダイオードＤ１、抵抗Ｒ６、コンデンサＣ２、ツェナーダイオードＺＤ１、抵抗Ｒ７，Ｒ８により構成される。
【００２９】
ツェナーダイオードＺＤ１は電圧検出素子として機能し、コンデンサＣ２に充電される電圧Ｖｃが所定のツェナー電圧Ｖｚ未満であればオフしており、ツェナー電圧Ｖｚ以上でオンする。このツェナー電圧Ｖｚとしては、高低２種類の定格入力電圧範囲の境界を決めるＡＣ電圧の入力時に、コンデンサＣ２で得られる電圧が選定される。
【００３０】
入力電圧検出回路部５に対応して過電流検出回路部６に動作点切替え回路１５が設けられる。動作点切替え回路１５は、第１過電流検出抵抗Ｒ２と並列に、第２過電流検出抵抗Ｒ５とトランジスタＴＲ２の直列回路を接続しており、トランジスタＴＲ２のベースには、ツェナーダイオードＺＤ２を介して入力電圧検出回路部５の抵抗Ｒ７，Ｒ８の分圧点に接続される。
【００３１】
このため入力電圧が低い方の定格入力電圧範囲にあり、コンデンサＣ２の電圧Ｖｃがツェナー電圧Ｖｚ未満でツェナーダイオードＤＺ１がオフしている時は、トランジスタＴＲ２もオフし、第２過電流検出抵抗Ｒ５は第１過電流検出抵抗Ｒ２から切り離され、第１過電流検出抵抗Ｒ２の電流検出電圧Ｖｉにより制御ＩＣ７による第１過電流保護動作点を決めている。
【００３２】
これに対し入力電圧が高い方の定格入力電圧範囲にあり、コンデンサＣ２の電圧Ｖｃがツェナー電圧Ｖｚ以上となってツェナーダイオードＤＺ１がオンしている時は、トランジスタＴＲ２がオンし、第２過電流検出抵抗Ｒ５は第１過電流検出抵抗Ｒ２に並列接続され、過電流検出電圧Ｖｉを発生させるための抵抗値が下がり、第１過電流検出抵抗Ｒ２と第２過電流検出抵抗Ｒ５の並列抵抗値に発生する電流検出電圧Ｖｉにより制御ＩＣ７による第２過電流保護動作点を決めている。
【００３３】
次に図１の実施形態の動作を説明する。入力電圧検出回路部５はダイオードブリッジ３によって整流された電圧を検出し、ダイオードＤ１、抵抗Ｒ６、コンデンサＣ２によって整流平滑され、入力電圧に比例した電圧ＶｃがコンデンサＣ２に印加される。
【００３４】
入力電圧が低い方の定格入力電圧範囲にあり、コンデンサＣ２の電圧ＶｃがツェナーダイオードＺＤのツェナー電圧Ｖｚより低い場合、ツェナ−ダイオードＺＤ１はカットオフ状態にあり、抵抗Ｒ６，Ｒ７には電流は流れず、トランジスタＴＲ２はオフ状態にあり、第２過電流検出抵抗を切り離している。
【００３５】
このため負荷電流に比例した電流検出電圧Ｖｉは、カレントトランス１４からの電流が流れる第１過電流検出抵抗Ｒ２のみに発生し、その過電流検出電圧Ｖｉを抵抗Ｒ３，Ｒ４で分圧して制御ＩＣ７の過電流保護端子ＯＣＰに印加する。
【００３６】
この分圧電圧が負荷の異常による負荷電流の増加に応じて制御ＩＣ７の基準電圧Ｖｒｅｆに達すると、スイッチング素子ＴＲ１のオンデューティを小さくし、負荷電流を低減する過電流保護動作が行われる。
【００３７】
入力電圧検出回路部５において、入力電圧が高い方の定格入力電圧範囲にあり、コンデンサＣ２の電圧Ｖｃがツェナーダイオ−ドＺＤ１のツェナー電圧Ｖｚより高い場合、ツェナーダイオ−ドＺＤ１がオンし、抵抗Ｒ７，Ｒ８の分圧電圧によるベースバイアスでトランジスタＴＲ２がオン状態となる。
【００３８】
このため第１過電流検出抵抗Ｒ２と並列に第２過電流抵抗Ｒ５が並列接続され、カレントトランス１４の２次巻線１４から見た抵抗値が減少する。過電流検出回路部６は、カレントトランス１４で負荷電流と比例した電流を検出して電流検出抵抗に流すことで電圧変換を行うが、第１電流検出抵抗Ｒ２と第２過電流検出抵抗抵抗Ｒ５が並列接続されたことで、ツェナーダイオードＺＤ１のカットオフ状態と比較して電流検出抵抗値は低くなる。
【００３９】
このため、制御ＩＣ７の過電流保護端子ＯＣＰに印加する電圧は、負荷電流を同じとして比較した場合に低下することになり、基準電圧ｒｅｆとの差が広がることで、過電流保護動作点を与える負荷電流値が高くなる。
【００４０】
まとめると、ツェナーダイオードＺＤ１がオフ状態の時、即ち、定格入力電圧が低い範囲にある場合の過電流保護動作値ＩＯＣＰＬと、ツェナーダイオードＺＤ１がオン状態時、即ち、定格入力電圧が高い範囲にある場合の過電流動作値ＩＯＣＰＨの間には、
ＩＯＣＰＬ＜ＩＯＣＰＨ
の関係が成り立つ。
【００４１】
それ故、入力電圧に応じて過電流保護動作点を自動的に変化させることが可能となり、高低２種類の定格入力電圧範囲に応じて定格負荷電流が異なる仕様に対し、定格負荷電流に追従した過電流保護動作点を適切に得ることができる。
【００４２】
具体的に説明すると、スイッチング電源装置は、低い方の定格入力電圧範囲ＡＣ８５〜１７０Ｖのとき定格負荷電流１０Ａであり、高い方の定格入力電圧範囲ＡＣ１７０〜２６４Ｖのとき定格負荷電流１５Ａとなる。
【００４３】
この場合、過電流動作点は定格負荷電流の例えば１１０％に設定する。このため低い方の定格入力電圧範囲ＡＣ８５〜１７０Ｖの過電流動作点は、定格負荷電流１０Ａの１１０％であるから１１Ａとなり、低い方の定格入力電圧範囲ＡＣ８５〜１７０Ｖの過電流動作点は、定格負荷電流１５Ａの１１０％であるから１６．５Ａとなる。
【００４４】
このため入力電圧検出回路部５のツェナーダイオードＺＤ１としては、高低２種類の定格入力電圧範囲の境界となる入力電圧ＡＣ１７０ＶでコンデンサＣ２に発生する電圧Ｖｃに一致するツェナー電圧Ｖｚのものが選定される。
【００４５】
これにより定格入力電圧ＡＣ８５Ｖ以上１７０Ｖ未満の低い方の定格入力範囲に属するＡＣ入力電圧のとき、ツェナーダイオードＺＤ１はカットオフとなり、一方、定格入力電圧ＡＣ１７０Ｖ以上２６４Ｖ未満の高い方の定格入力範囲に属するＡＣ入力電圧のとき、ツェナーダイオードＺＤ１はオンすることになる。
【００４６】
過電流検出回部６の第１過電流抵抗Ｒ２については、低い方の定格入力電圧範囲での過電流動作点の負荷電流１１Ａによる電流検出電圧Ｖｉの分圧電圧が、制御ＩＣ７の過電流保護動作端子ＯＣＰにおける基準電圧Ｖｒｅｆに一致するように、抵抗値を決める。
【００４７】
また動作点切替え回路１５の第２過電流抵抗Ｒ２については、高い方の定格入力電圧範囲での過電流動作点の負荷電流１６．５Ａによる抵抗Ｒ２，Ｒ５の並列抵抗値に発生する電流検出電圧Ｖｉの分圧電圧が、制御ＩＣ７の過電流保護動作端子ＯＣＰにおける基準電圧Ｖｒｅｆに一致するように、抵抗値を決める。
【００４８】
尚、上記の実施形態は、昇圧型力率改善回路部を備えたスイッチング電源装置を例にとるものであったが、昇圧型力率改善回路部を持たないスイッチング電源装置であっても良い。また上記の実施形態に限定されず、その目的と利点を損なうことのない適宜の変形を含む。更に上記の実施例に示した数値による限定は受けない。
【００４９】
【発明の効果】
以上説明したように本発明によれば、定格負荷電流が高低２種類の定格入力電圧範囲の相違により変化する仕様をもち、定格負荷電流を超える負荷電流が流れた場合に負荷電流を抑制する過電流保護動作につき、定格入力電圧範囲の高低によって過電流保譲動作点を変えることができ、低い定格入力電圧範囲に対応して昇圧型力率改善回路部の部品を選定していても、高い定格入力電圧範囲では過電流動作点が高い動作点に切替り、負荷に対し定格まで十分に電流を供給できるため、低い定格入力電圧範囲に対応して昇圧型力率改善回路部の部品を選定していても、部品の能力を十分に引き出すことができ、定格入力電圧範囲が高くても低くてもスイッチング電源装置の過電流保護動作を常に最適条件で動作させることができる。
【図面の簡単な説明】
【図１】本発明によるスイッチング電源装置の実施形態を示した回路図
【図２】従来例を示した回路図
【符号の説明】
１ａ，１ｂ：入力端子
２：入力フィルター回路部
３：ダイオードブリッジ
４：昇圧型力率改善回路部
５：入力電圧検出回路部
６：過電流検出回路部
７：制御ＩＣ
８：ＤＣ−ＤＣコンバータ
９：トランス
１０：整流平滑回路
１１：誤差増幅・アイソレート部
１２ａ，１２ｂ：出力端子
１３：負荷
１４：カレントトランス
１５：動作点切替え回路部
ＴＲ１：スイッチ素子
ＴＲ２：トランジスタ
Ｒ２：第１過電流検出抵抗
Ｒ５：第２過電流検出抵抗
ＺＤ１：ツェナーダイオード
【図１】
2004166440.tif 000003
【図２】
2004166440.tif 000004